(57)【要約】【課題】一種類のＬＥＤ照明装置により、加熱領域と冷却領域における商品の陳列を効果的に演出することができるショーケースを提供する。【解決手段】ショーケース１は、断熱壁２内に商品を加熱しながら陳列する加熱陳列室６と商品を冷却しながら陳列する冷却陳列室７とを構成し、ＬＥＤ照明装置１９により各陳列室を照明して成るものであって、ＬＥＤ照明装置１９は、青色ＬＥＤと、黄色の蛍光体と、集光レンズとから構成されており、このＬＥＤ照明装置から照射される光のうちの中心付近の光を冷却陳列室７に指向させ、その周辺の光を加熱陳列室６に指向させた。【選択図】図２
2012170704.tif 000002
【特許請求の範囲】
【請求項１】
断熱壁内に商品を加熱しながら陳列する加熱領域と商品を冷却しながら陳列する冷却領域とを構成し、照明装置により前記各領域を照明して成るショーケースにおいて、
前記照明装置は、青色ＬＥＤと、黄色の蛍光体と、集光レンズとから構成されており、
該照明装置から照射される光のうちの中心付近の光を前記冷却領域に指向させ、その周辺の光を前記加熱領域に指向させたことを特徴とするショーケース。
【請求項２】
前記断熱壁は前面が開口し、該開口の上縁には庇が設けられており、前記加熱領域は前記冷却領域の上方に形成され、前記照明装置は前記庇に設けられていることを特徴とする請求項１に記載のショーケース。
【請求項３】
前記断熱壁は前記加熱領域と冷却領域とを区画する区画壁を備え、前記照明装置は前記区画壁の前方に設けられていることを特徴とする請求項１に記載のショーケース。
【請求項４】
前記照明装置は、当該照明装置から照射される光の方向を調整可能に設けられていることを特徴とする請求項１乃至請求項３のうちの何れかに記載のショーケース。
【請求項５】
前記照明装置から照射される光のうちの前記中心付近の光と前記周辺の光をそれぞれ分けて導く導光手段を備えたことを特徴とする請求項１乃至請求項４のうちの何れかに記載のショーケース。
【発明の詳細な説明】
【技術分野】
【０００１】
本発明は、商品を加熱しながら陳列する加熱領域と冷却しながら陳列する冷却領域とを備えたショーケースに関し、特に、これら各領域を照明する照明装置を備えたショーケースに関するものである。
【背景技術】
【０００２】
近年この種ショーケースにおいても省エネルギー化が要求されており、そのため、陳列室内を照明する従来の蛍光灯に代えて、ＬＥＤ（発光ダイオード）照明装置を使用するようになって来ている（例えば、特許文献１参照）。
【０００３】
従来よりショーケースにおいては、ジュースやミネラルウォーター等の飲料（商品）を所定温度に冷却しながら陳列する冷却陳列室を備えると共に、コーヒーやお茶等の飲料（商品）は所定温度に加熱しながら陳列する加熱陳列室を備えているものもある。
【０００４】
ところで、この種ＬＥＤはＲ（赤）Ｇ（緑）Ｂ（青）の発光色のＬＥＤが開発されており、ディスプレイ等ではこれら三原色を組み合わせて白色を含む多彩な色を表現している。そして、前記特許文献１では、商品の種類に合った色の光のＬＥＤをそれぞれ使用することにより、各商品の陳列状態をより効果的に演出する方策が採られていた。
【先行技術文献】
【特許文献】
【０００５】
【特許文献１】特開２００８−２９５５３４号公報
【発明の概要】
【発明が解決しようとする課題】
【０００６】
このように従来では、商品の陳列を演出する際、それぞれの商品に合った発光色のＬＥＤを準備する必要があったため、前述の如き加熱陳列室を温かみのある光で照明し、冷却陳列室を冷たい光で照明しようとすると、それぞれの色で発光するＬＥＤを多種類用いなければならなかった。
【０００７】
一方で、前述のようなショーケースを単に白色光にてＬＥＤ照明する場合には、一般的にはその照度の高さから、青色ＬＥＤに黄色の蛍光体を組み合わせた蛍光体タイプのＬＥＤ照明装置が使用される。この蛍光体タイプのＬＥＤ照明装置は、青色ＬＥＤの上に黄色の蛍光体を配置し、蛍光体をすり抜けた青色ＬＥＤからの青色光と、蛍光体そのものの黄色の光を照射することで、人間の目には白色光として見える構成とされていた。また、ＬＥＤ素子の上に集光レンズを配置して光を絞ることも行っている。
【０００８】
そして、係る蛍光体タイプのＬＥＤを複数並設（列）してショーケースの照明装置を構成するものであったが、集光レンズをＬＥＤ上に配置した場合、中心付近が青色の光（青白い光、以下同じ）の帯となり、その両側が黄色の光（電球色の如き黄みがかった光、以下同じ）となってしまうことが知られている。
【０００９】
本発明は、係る従来の状況を踏まえ、一種類のＬＥＤ照明装置により、加熱領域と冷却領域における商品の陳列を効果的に演出することができるショーケースを提供するものである。
【課題を解決するための手段】
【００１０】
本発明のショーケースは、断熱壁内に商品を加熱しながら陳列する加熱領域と商品を冷却しながら陳列する冷却領域とを構成し、照明装置により各領域を照明して成るものであって、照明装置は、青色ＬＥＤと、黄色の蛍光体と、集光レンズとから構成されており、この照明装置から照射される光のうちの中心付近の光を冷却領域に指向させ、その周辺の光を加熱領域に指向させたことを特徴とする。
【００１１】
請求項２の発明のショーケースは、上記において断熱壁は前面が開口し、この開口の上縁には庇が設けられており、加熱領域は冷却領域の上方に形成され、照明装置は庇に設けられていることを特徴とする。
【００１２】
請求項３の発明のショーケースは、請求項１の発明において断熱壁は加熱領域と冷却領域とを区画する区画壁を備え、照明装置は区画壁の前方に設けられていることを特徴とする。
【００１３】
請求項４の発明のショーケースは、上記各発明において照明装置は、当該照明装置から照射される光の方向を調整可能に設けられていることを特徴とする。
【００１４】
請求項５の発明のショーケースは、上記各発明において照明装置から照射される光のうちの中心付近の光と周辺の光をそれぞれ分けて導く導光手段を備えたことを特徴とする。
【発明の効果】
【００１５】
本発明によれば、断熱壁内に商品を加熱しながら陳列する加熱領域と商品を冷却しながら陳列する冷却領域とを構成し、照明装置により各領域を照明して成るショーケースにおいて、照明装置が青色ＬＥＤと、黄色の蛍光体と、集光レンズとから構成されている場合に、この照明装置から照射される光のうちの中心付近の光を冷却領域に指向させ、その周辺の光を加熱領域に指向させたので、この種集光レンズを備えた蛍光体タイプのＬＥＤを使用した場合に生じる中心付近の青色の光でショーケースの冷却領域を照明し、その周辺の黄色の光でショーケースの加熱領域を照明することができるようになる。
【００１６】
これにより、一種類のＬＥＤ照明装置により、冷却領域を冷たい青色の光で、加熱領域は温かみのある黄色の光でそれぞれ照明することができるようになり、商品の陳列状態をより効果的に演出しながら、多種類の発光色のＬＥＤを使用する場合に比して著しいコストの削減を図ることができるようになるものである。
【００１７】
この場合、請求項２の発明の如くショーケースの前面に開口する断熱壁の開口の上縁に設けられた庇に照明装置を設ければ、冷却領域の上方に形成された加熱領域を周辺の黄色の光で照明し、加熱領域の下方で庇から離間することになる冷却領域は中心付近の強い青色の光で効果的に照明することができるようになる。
【００１８】
また、請求項３の発明の如く断熱壁内の加熱領域と冷却領域とを区画する区画壁の前方に照明装置を設ければ、区画壁の前方にて中心付近の青色の光とその周辺の黄色の光を冷却領域と加熱領域とに容易に振り分けることができるようになる。
【００１９】
また、請求項４の発明の如く照明装置から照射される光の方向を調整可能に設ければ、商品の陳列状態等に応じて中心付近の青色の光と周辺の黄色の光の方向を調整することができるようになるので、利便性が向上する。
【００２０】
更に、請求項５の発明の如く照明装置から照射される光のうちの中心付近の光と周辺の光をそれぞれ分けて導く導光手段を設ければ、冷却領域と加熱領域の位置関係に拘束されずに自由に中心付近の青色の光と周辺の黄色の光を冷却領域と加熱領域とに分配することが可能となり、設計上の制約が著しく緩和されるものである。
【図面の簡単な説明】
【００２１】
【図１】本発明で使用する実施例のＬＥＤ照明装置の断面図である。
【図２】本発明の一実施例のショーケースの概略断面図である（実施例１）。
【図３】本発明の他の実施例のショーケースの概略断面図である（実施例２）。
【発明を実施するための形態】
【００２２】
以下、図面に基づき本発明の実施の形態について、詳細に説明する。
【実施例１】
【００２３】
先ず、図２において１は実施例のショーケースであり、前面が開口する断熱壁２により本体が構成されたオープンショーケースである。この断熱壁２は区画壁３を備えており、この断熱壁２内における区画壁３の上側に加熱陳列室６（加熱領域Ｈ）が、また、区画壁３の下側に冷却陳列室７（冷却領域Ｃ）がそれぞれ構成されている。従って、加熱陳列室６は冷却陳列室７の上方に位置している。
【００２４】
この加熱陳列室６内は、例えば区画壁３の上面裏側等に設けられた電気ヒータ８により所定温度（例えば、＋６０℃〜＋８０℃に加温）に加熱され、コーヒーやお茶等の加熱飲料（商品）を加熱しながら陳列する。また、冷却陳列室７は区画壁３下方の断熱壁２の内側に間隔を存して設けられた仕切板９内に構成されており、この仕切板９と断熱壁２及び区画壁３間に連続したダクト１１が構成されている。このダクト１１内には図示しない冷却装置の蒸発器１２と送風機１３が配設されている。
【００２５】
また、区画壁３の前部下側にはダクト１１に連通した冷気吐出口１４が形成され、冷却陳列室７の開口の下縁には冷気吸込口１６が形成されてそれぞれダクト１１に連通している。そして、蒸発器１２と熱交換したダクト１１内の冷気は送風機１３により加速され、冷気吐出口１４から冷却陳列室７内に吐出され、冷気吸込口１６から吸い込まれる。これにより、冷却陳列室７の前面開口には冷気エアーカーテンが構成されると共に、その一部が冷却陳列室７内に循環され、冷却陳列室７内は所定温度（例えば、＋５℃〜＋１０℃の冷蔵温度）に冷却されてジュースやミネラルウォーター等の冷却飲料（商品）を冷却しながら陳列する。
【００２６】
更に、断熱壁２の開口上縁にはキャノピーと称される庇１８が前方に突出して設けられている。そして、この実施例では庇１８の内側に本発明で使用するＬＥＤ照明装置（照明装置）１９が取り付けられている。図１に示す実施例のＬＥＤ照明装置１９は蛍光体タイプのＬＥＤであり、長尺（ショーケース１の略全幅）の基板２１上に複数の白色ＬＥＤ２５を例えば一列に並設して構成されている。各白色ＬＥＤ２５は、青色（発光）ＬＥＤ２２上に黄色の蛍光体２３を配置し、それらをモールド２４により一体化することにより構成されている。
【００２７】
また、これら青色ＬＥＤ２２と蛍光体２３のモールド体から成る白色ＬＥＤ２５を覆うかたちで集光レンズ２６が取り付けられている。この集光レンズ２６は基板２１と同等の長尺のものであるが、各白色ＬＥＤ２５に対応する部分がそれぞれ湾曲して集光レンズとしての機能を奏するように構成されている。
【００２８】
前述したように、蛍光体タイプのＬＥＤ照明装置から照射される光は、全体としては白色として視認されるものではあるが、集光レンズ２６を使用した場合、中心付近が青色の光（青白い光Ｂ）の帯となり、その両側に黄色の光（電球色の如き黄みがかった光Ｙ）の帯となる。そこで、本発明では庇１８に取り付けられたこのＬＥＤ照明装置１９の向きを、当該ＬＥＤ照明装置１９から照射される中心付近の青色の光Ｂが冷却陳列室７に指向し、その周辺の黄色の光Ｙが加熱陳列室６に指向するように設ける（図２）。
【００２９】
これにより、集光レンズ２６を備えた蛍光体タイプのＬＥＤ照明装置１９から照射される中心付近の青色の光Ｂでショーケース１の冷却陳列室７を照明し、その周辺の黄色の光Ｙでショーケース１の加熱陳列室６を照明することができるようになる。
【００３０】
これにより、一種類のＬＥＤ照明装置１９により、冷却陳列室７を冷たい青色の光Ｂで、加熱陳列室６は温かみのある黄色の光Ｙでそれぞれ照明することができるようになり、各室７、６の商品の陳列状態を、より効果的にそれぞれ演出することができるようになる。この場合、従来の如く多種類の発光色のＬＥＤを使用しないので、著しいコストの削減も図られる。
【００３１】
また、この実施例ではショーケース１の前面に開口する断熱壁２の開口の上縁に設けられた庇１８にＬＥＤ照明装置１９を設けているので、冷却陳列室７の上方に形成された加熱陳列室６を周辺の黄色の光Ｙで照明し、加熱陳列室６の下方で庇１９から離間することになる冷却陳列室７は中心付近の強い青色の光Ｂで効果的に照明することができるようになる。
【００３２】
尚、実施例のＬＥＤ照明装置１９は長手方向に延びる軸を中心として回転可能に庇１８に取り付けられており、当該ＬＥＤ照明装置１９から照射される光の方向を調整可能とされている。即ち、各室６、７内の商品の陳列状態等に応じて中心付近の青色の光Ｂと周辺の黄色の光Ｙの方向を調整することができる。
【実施例２】
【００３３】
次に、図３は本発明の他の実施例を示している。尚、この図において図２と同一符号で示すものは同一又は同様の機能を奏するものとする。この実施例の場合、ＬＥＤ照明装置１９は図示しない左右のアングル等を用いて区画壁３の前方に設けられている。そして、この位置から中心付近の青色の光Ｂとその周辺の黄色の光Ｙを冷却陳列室７と加熱陳列室６とに振り分ける。
【００３４】
係る構成とすれば、冷却陳列室７とＬＥＤ照明装置１９との距離を短縮できるので、前方上部から青色の光Ｂでより明るく冷却陳列室７内を照明できる。また、上方の加熱陳列室６内は前方下部から黄色の光Ｙで照明され、商品の前面を明るく照らすかたちとなる。
【００３５】
尚、この場合も前述同様にＬＥＤ照明装置１９から照射される光の方向を調整可能に設ければ、各室６、７内の商品の陳列状態等に応じて中心付近の青色の光Ｂと周辺の黄色Ｙの光の方向を調整することができるようになるので、利便性が向上する。
【００３６】
また、上記各実施例ではＬＥＤ照明装置１９からの光をそのまま各室６、７に指向させたが、導光部材（導光手段）を用いてＬＥＤ照明装置１９から照射される光のうちの中心付近の青色の光Ｂと周辺の黄色の光Ｙをそれぞれ分けて導くようにしても良い。係る構成によれば、冷却陳列室７と加熱陳列室６の位置関係に拘束されずに自由に中心付近の青色の光Ｂと周辺の黄色の光Ｙ（特にこの場合には青色の光Ｂの両側の光Ｙ）を冷却陳列室７と加熱陳列室６とに分配することが可能となり、設計上の制約が著しく緩和される。
【００３７】
更に、各実施例ではオープンショーケースを例にとって説明したが、前面をガラス扉で開閉自在に閉塞した所謂リーチインタイプショーケースや四面をガラスで囲繞した四面ガラスタイプのショーケースにも本発明は有効である。
【符号の説明】
【００３８】
１  ショーケース
２  断熱壁
３  区画壁
６  加熱陳列室（加熱領域）
７  冷却陳列室（冷却領域）
１８  庇
１９  ＬＥＤ照明装置（照明装置）
２２  青色ＬＥＤ
２３  蛍光体
２５  白色ＬＥＤ
２６  集光レンズ
【図１】
2012170704.tif 000003
【図２】
2012170704.tif 000004
【図３】
2012170704.tif 000005